【事件の表示】
　特願２０１４−　９５３０３「音声調整卓」拒絶査定不服審判事件〔平成２７年１１月２６日出願公開、特開２０１５−２１３２４６〕について、次のとおり審決する。
【結　論】
　本件審判の請求は、成り立たない。
【理　由】
第１　手続の経緯
　本願は、平成２６年５月２日の出願であって、その手続の経緯は以下のとおりである。
　平成３０年　３月２６日：拒絶理由通知
　平成３０年　６月　１日：意見書の提出、手続補正
　平成３０年　８月１７日：拒絶査定
　平成３０年　８月２８日：拒絶査定の謄本の送達
　平成３０年１１月２８日：審判請求、手続補正
第２　平成３０年１１月２８日付けの手続補正についての補正の却下の決定
［補正却下の決定の結論］ 
　平成３０年１１月２８日付けの手続補正を却下する。 
  
［理由］ 
　１　補正の内容 
　上記手続補正（以下、「本件補正」という。）は、本件補正前の平成３０年６月１日付け手続補正書の特許請求の範囲の請求項１〜４を補正するものであるところ、そのうちの請求項１に記載された、 
  
「音源からの音声信号が入力される複数の入力部と、
　入力された複数の音声信号をミキシングして１つの音声信号を出力する複数のミックス回路と、
　音声信号をバス出力する複数の出力部と、
　複数のスイッチが設けられ、前記入力部及び前記ミックス回路からの音声信号の入力を切換可能で、前記ミックス回路及び前記出力部への音声信号の出力を切換可能に構成されたマトリックス回路と、
　を備え、
　前記スイッチは、共通の前記ミックス回路を共用するように構成したことを特徴とする音声調整卓。」 
  
　という発明を、平成３０年１１月２８日付け手続補正書の特許請求の範囲の請求項１に記載された、 
  
「音源からの音声信号が入力される複数の入力部と、
　入力された複数の音声信号をミキシングして１つの音声信号を出力する複数のミックス回路と、
　音声信号をバス出力する複数の出力部と、
　複数のスイッチが設けられ、前記入力部及び前記ミックス回路からの音声信号の入力を切換可能で、前記ミックス回路及び前記出力部への音声信号の出力を切換可能に構成されたマトリックス回路と、
　を備え、
　前記スイッチは、共通の前記ミックス回路を共用するように構成し
、
　
前記マトリックス回路は、運用に応じて各前記スイッチをＯＮ／ＯＦＦすることにより、前記運用に必要な前記ミックス回路の構成を設定可能に構成する
  
という発明に補正することを含むものである。 
　なお、下線は、補正箇所である。 
　２　新規事項の有無、単一性、補正の目的について  
　本件補正は、平成３０年６月１日付け手続補正書の特許請求の範囲の請求項１に記載されたマトリックス回路に関して、 
 「前記マトリックス回路は、運用に応じて各前記スイッチをＯＮ／ＯＦＦすることにより、前記運用に必要な前記ミックス回路の構成を設定可能に構成する」ことに限定する補正であり、出願当初の明細書若しくは図面等に記載した事項の範囲内においてするものであって、補正前の請求項に記載された発明と補正後の請求項に記載された発明とは発明の単一性の要件を満たすものである。 
  
　したがって、本件補正は、特許法第１７条の２第３項、第４項の規定に適合するものであり、同条第５項第２号の特許請求の範囲を減縮することを目的とするものに該当する。
  
　３　独立特許要件について 
　本件補正は、特許請求の範囲の減縮を目的とする補正を含むものであるから、上記補正後の請求項１に係る発明が、特許出願の際独立して特許を受けることができるものであるかどうかについて以下に検討する。 
  
（１）補正後発明  
　補正後の請求項１に係る発明（以下、「補正後発明」という。）は、上記の本件補正後の特許請求の範囲の請求項１に記載された次のとおりのものと認める。  
　なお、Ａ〜Ｇについては、説明のために当審にて付したものである。（以下、「構成Ａ」〜「構成Ｇ」という。） 
  
（補正後発明）
「Ａ　音源からの音声信号が入力される複数の入力部と、
　Ｂ　入力された複数の音声信号をミキシングして１つの音声信号を出力する複数のミックス回路と、
　Ｃ　音声信号をバス出力する複数の出力部と、
　Ｄ　複数のスイッチが設けられ、前記入力部及び前記ミックス回路からの音声信号の入力を切換可能で、前記ミックス回路及び前記出力部への音声信号の出力を切換可能に構成されたマトリックス回路と、
　を備え、
　Ｅ　前記スイッチは、共通の前記ミックス回路を共用するように構成し、
　Ｆ　前記マトリックス回路は、運用に応じて各前記スイッチをＯＮ／ＯＦＦすることにより、前記運用に必要な前記ミックス回路の構成を設定可能に構成することを特徴とする
　Ｇ　音声調整卓。」
（２）引用文献１の記載事項及び引用発明について 
　ア　引用文献１の記載事項 
　原審の拒絶査定に、引用文献１として引用された、特開２００１−１７５６２３号公報には、「信号処理系統設定装置及び方法」（発明の名称）として図面とともに以下の事項が記載されている。
　なお、下線は、説明のために当審で付したものである。
【０００１】
【発明の属する技術分野】本発明は、例えばデジタルオーディオ信号の処理系統を設定する信号処理系統設定装置に関し、特に
デジタルオーディオ信号を処理する複数の信号処理手段を通る経路を任意に切替え設定する信号処理系統設定装置
【０００９】
本発明における信号処理系統設定装置は、
ミキシングして得られたミキシング信号を前記信号切換手段の入力端子に接続する
デジタルオーディオ信号をミキシングできることとなる。
【００３７】
【発明の実施の形態】以下、図１乃至図２４に基づき、本発明の第１乃至第１６の実施の形態を詳細に説明する。
（第１の実施の形態）まず、図１を参照して、本発明の第１の実施の形態における信号処理系統設定装置の構成を説明する。図１は第１の実施の形態における信号処理系統設定装置を示す図であり、請求項１及び請求項２に対応する。図１において、
入力端子手段としての入力端子１
信号切換手段としての入出力信号切換器２
ＤＳＰ３の出力端子から入出力信号切換器２に対するフィードバック手段としてのフィードバック結線４
【００３８】次に、図１、図１７及び図１８を参照して、上記のように構成された本発明の第１の実施の形態における信号処理系統設定装置の動作を説明する。まず、任意のｎ個のＤＳＰ３のメモリには、それぞれフィルタ、コンプレッサ、レベル制御などの信号処理部のインストラクションがあらかじめブートまたは記憶されているものとする。
入力端子１から入力されたデジタルオーディオ信号
入出力信号切換器２により、ＤＳＰ３内に必要な信号処理部を持つＤＳＰ３の入力へ
接続される。
ＤＳＰ３の出力信号は
入出力信号切換器２の入力端子に入力され、
入力信号用の入力端子１を持ち、出力信号用の出力端子５を持っており、入出力信号切換器２の入力端子から出力端子に対する経路を任意に切替え設定する
【００４０】次に、図１７を参照して、本発明の第１の実施の形態における実際の入出力信号切換器２の設定方法を説明する。説明を簡略化するために、入力端子１を２チャンネル、出力端子５を２チャンネル、ＤＳＰ３を４個に限定し、
ＤＳＰ３のそれぞれの信号処理部を信号処理部Ａ、信号処理部Ｂ、信号処理部Ｃ、信号処理部Ｄとする。
【００４３】各信号処理部Ａ〜Ｄは、実際には、フィルタ、コンプレッサなどの信号処理部が入る。この信号処理部は必ずしも単一の信号処理部である必要はなく、単一の信号処理部に従属する信号処理部を含むものを１つの信号処理部とみなしても変わりはない。なお、この例では、
入出力切換器２の出力側の設定データは
重複した入力箇所を選択するようにしても問題はない。例えば、入力１の信号を信号処理部Ａと信号処理部Ｂに入力させたい場合
全系統及び全端子を使用しているが、設定する信号処理系統によっては使用しない系統があっても問題はない。
【００６２】（第５の実施の形態）次に、図５を参照して、本発明の第５の実施の形態における信号処理系統設定装置の構成を説明する。
図５は第５の実施の形態の信号処理系統設定装置を示す図であり、
第５の実施の形態では、第１の実施の形態の構成に対し、ミキシング手段であるミキシング回路１０を加えて構成される。
【００６３】次に、図５を参照して、上記のように構成された本発明の第５の実施の形態における信号処理系統設定装置の動作を説明する。
ミキシング回路１０の入力信号は入力信号切換器２の出力から与えられる。
【００６４】上記のように、第５の実施の形態によれば、第１の実施の形態の作用に加え、信号処理系統の任意の信号処理位置の信号をミキシングすることができる。また、そのミキシング信号をＤＳＰの入力へ設定することができ、
ミキシング後の信号も一つの信号として
出力することができる。
　イ　引用発明
　上記記載、並びにこの分野における技術常識を考慮し、引用文献１に記載される発明を以下に検討する。 
  
（ａ）段落０００１、０００９の記載から、引用文献１には、デジタルオーディオ信号を処理する複数の信号処理手段を通る経路を任意に切替え設定し、デジタルオーディオ信号をミキシングする信号処理系統設定装置が記載されている。
（ｂ）段落００６２の記載から、段落００６２〜００６４、図５に記載された第５の実施の形態は、第１の実施の形態にミキシング回路が加えられた構成であり、図５の入力端子１は、段落００３８に記載された第１の実施の形態の入力端子１と同様に、デジタルオーディオ信号が入力されるものといえる。
　また、図５より、引用文献１の信号処理系統設定装置は、複数の入力端子１を備えていることが見てとれる。
　よって、引用文献１の信号処理系統設定装置は、デジタルオーディオ信号が入力される複数の入力端子１を備えている。
（ｃ）段落００６２、００６３の記載から、引用文献１の信号処理系統設定装置は、入力信号をミキシングして出力するミキシング回路１０を備えている。
　そして、図５より、ミキシング回路１０は複数であり、ミキシング回路１０の入力は複数で、出力は１つであることが見てとれる。
　また、上記（ａ）より、ミキシング回路の入出力信号はデジタルオーディオ信号といえる。
　更に、上記（ｂ）の検討と同様に、図５に記載された第５の実施の形態は、第１の実施の形態にミキシング回路が加えられた構成であり、段落００４３、図５及び図１７より、引用文献１の信号処理系統設定装置は、複数の信号処理部を備えているといえる。
　すなわち、引用文献１の信号処理系統設定装置は、複数の信号処理部と、入力された複数のデジタルオーディオ信号をミキシングして１つのデジタルオーディオ信号を出力する複数のミキシング回路１０とを備えている。
（ｄ）図５より、引用文献１の信号処理系統設定装置は、複数の出力端子５を備えていることが見てとれる。
　また、上記（ａ）〜（ｃ）より、引用文献１の信号処理系統設定装置は、デジタルオーディオ信号が入力され、ミキシングされるものであり、段落００６４の記載から、ミキシング後の信号を出力するものであるから、出力端子５からの出力信号は、デジタルオーディオ信号であるといえる。
　すなわち、引用文献１の信号処理系統設定装置は、デジタルオーディオ信号を出力する複数の出力端子５を備えている。
（ｅ）上記（ｂ）の検討と同様に、第５の実施の形態は、第１の実施の形態にミキシング回路が加えられた構成であり、段落００６３に記載された入力信号切換器２は、段落００３７〜００４０に記載された第１の実施の形態の入力信号切換器２と同様に、入力信号用の入力端子１を持ち、出力信号用の出力端子５を持っており、入出力信号切換器２の入力端子から出力端子に対する経路を任意に切替え設定する信号切換手段であるといえる。
　そして、段落００３７、００３８の記載と図５より、入出力信号切換器２の入力端子には、信号処理部を持つＤＳＰ３の出力信号が入力され、入出力信号切換器２の出力端子には、信号処理部を持つＤＳＰ３の入力が接続されている。
　また、段落０００９、００６３の記載と図５より、信号切換手段すなわち入出力信号切換器２の入力端子には、ミキシングして得られたミキシング信号が接続され、ミキシング回路１０の入力信号は入出力信号切換器２の出力から与えられる。
　以上の記載より、引用文献１の信号処理系統設定装置は、前記入力端子１、前記信号処理部及び前記ミキシング回路１０からのデジタルオーディオ信号を入力する入力端子から、前記信号処理部、前記ミキシング回路１０及び前記出力端子５へのデジタルオーディオ信号を出力する出力端子に対する経路を任意に切替え設定する信号切換手段である入出力信号切換器２を備えている。
（ｆ）段落００４３の記載から、引用文献１の信号処理系統設定装置の入出力信号切換器２は、入力の信号を複数の信号処理部に入力させたい場合には、Ｏ３とＯ４ともにＩ１のデータ設定を行うように、出力側の設定データは、重複した入力箇所を選択するようにしても問題はなく、設定する信号処理系統によっては使用しない系統があっても問題はないことが記載されている。
（ｇ）上記（ａ）〜（ｆ）より、引用文献１には、以下の発明（以下、「引用発明」という。）が開示されている。 
 　なお、ａ〜ｈ２については、説明のために当審にて付したものである。 
 （以下、「構成ａ」〜「構成ｈ２」という。）  
  
 （引用発明） 
「ａ　デジタルオーディオ信号が入力される複数の入力端子１と、
　ｂ　複数の信号処理部と、入力された複数のデジタルオーディオ信号をミキシングして１つのデジタルオーディオ信号を出力する複数のミキシング回路１０と、
　ｃ　デジタルオーディオ信号を出力する複数の出力端子５と、
　ｄ　前記入力端子１、前記信号処理部及び前記ミキシング回路１０からのデジタルオーディオ信号を入力する入力端子から、前記信号処理部、前記ミキシング回路１０及び前記出力端子５へのデジタルオーディオ信号を出力する出力端子に対する経路を任意に切替え設定する信号切換手段である入出力信号切換器２と、を備え、
　ｈ　入出力信号切換器２は、
　ｈ１　入力の信号を複数の信号処理部に入力させたい場合には、Ｏ３とＯ４ともにＩ１のデータ設定を行うように、出力側の設定データは、重複した入力箇所を選択するようにしても問題はなく、
　ｈ２　設定する信号処理系統によっては使用しない系統があっても問題はないものであり、
　ｇ　デジタルオーディオ信号を処理する複数の信号処理手段を通る経路を任意に切替え設定し、デジタルオーディオ信号をミキシングする信号処理系統設定装置。」
（３）周知慣用の技術について
　ア　技術事項１
　原審の拒絶査定に引用文献２として引用された特開平１０−９１１５６号公報には、次の技術（以下、「技術事項１」という。）が記載されている。
（特に、段落００２２〜００２８を参照。）
「参照番号１６により識別される複数の入力チャンネルと参照番号１８で識別される複数の出力チャンネルと複数のスイッチより構成されるスイッチマトリクス４。」
　イ　技術事項２
　水城田志郎、デラックスビデオ雑学アカデミー　３時間目：安価なセレクターでマトリックススイッチャーをつくれるのか？、ビデオα ９月号、日本、2009.09.01発行、第25巻第9号、152-155頁には、次の技術（以下、「技術事項２」という。）が記載されている。（特に、１５２頁右欄「偽者ゆえの限界を予測」を参照。）
「１つの入力信号を複数の出力先に送信することや、１つの入力信号と１つの出力先を自由に選ぶことを可能とするマトリックススイッチャー。」
　ウ　技術事項３
　イメージニクス社のスイッチャーを例にスイッチャーの種類と機能、ビデオα　第１２巻　第２号、日本、1996.02.01発行、第12巻第2号、133-135頁には、次の技術（以下、「技術事項３」という。）が記載されている。（特に、１３３頁右欄１１〜１５行を参照。）
「１つのソースに対して複数の出力をアサインすることができるマトリックススイッチャー。」
　エ　技術事項４
　スイッチャーのしくみ　イメージニクス社のスイッチャーを例に、ビデオα　第１２巻　第３号、日本、1996.03.01発行、第12巻第3号、130-132頁には、次の技術（以下、「技術事項４」という。）が記載されている。（特に、１３０頁右欄１〜４行を参照。）
「複数の入力のうち任意の１つを選択するだけでなく、複数の入力を複数の出力に自由に接続できるマトリックススイッチャー。」
　オ　周知慣用の技術
　上記ア〜エに記載した技術事項１〜４より、多入力信号のいずれかを多出力信号の１もしくは複数に切換接続するような場合、マトリクス状のスイッチを用いることは、周知慣用の技術である。
（４）補正後発明と引用発明の対比と、一致点・相違点の認定
　ア　対比
（ア）補正後発明の構成Ａと引用発明の構成ａとの対比
　構成ａの「複数の入力端子１」は、構成Ａの「複数の入力部」に相当する。
　構成ａの「デジタルオーディオ信号」は、音源から得られるものであること、音声信号を含むものであることは当然のことであるから、構成Ａの「音源からの音声信号」に相当するといえる。
　したがって、構成ａは、構成Ａに相当する。
（イ）補正後発明の構成Ｂと引用発明の構成ｂとの対比
　構成ｂの「複数のミキシング回路１０」は、構成Ｂの「複数のミックス回路」に相当する。
　したがって、構成ｂと構成Ｂは、「入力された複数の音声信号をミキシングして１つの音声信号を出力する複数のミックス回路」を備える点で一致する。
（ウ）補正後発明の構成Ｃと引用発明の構成ｃとの対比
　構成ｃの「複数の出力端子」は、構成Ｃの「複数の出力部」に相当する。
　構成ｃにおいて、複数の出力端子よりデジタル信号を出力しているから、構成ｃにおいても、デジタルオーディオ信号を「バス出力する」ものといえる。
　したがって、構成ｃは、構成Ｃに相当する。
（エ）補正後発明の構成Ｄと引用発明の構成ｄとの対比
　構成ｄの「前記入力端子１」、「前記ミキシング回路１０」、「デジタルオーディオ信号」、「前記出力端子５」は、それぞれ、構成Ｄの「前記入力部」、「前記ミックス回路」、「音声信号」、「前記出力部」に相当する。
　また、構成ｄの「入力端子から、」「出力端子に対する経路を任意に切替え設定する」ことは、入出力信号切換器２の入力のいずれかと出力のいずれかを切り替えて設定することであり、構成Ｄの「入力を切換可能で、」「出力を切換可能に構成された」ことに相当する。
　更に、構成ｄの「信号切換手段」は、複数の入力から複数の出力への経路を切り替えるものであるから、切り替えに際して、「複数のスイッチが設けられ」ているといえる。
　そうすると、構成ｄと構成Ｄは「複数のスイッチが設けられ、前記入力部及び前記ミックス回路からの音声信号の入力を切換可能で、前記ミックス回路及び前記出力部への音声信号の出力を切換可能に構成」された点で共通する。
　しかし、構成ｄの「入出力信号切換器２」と構成Ｄの「マトリックス回路」は、入出力切換を行う構成である点で共通するが、構成ｄは、構成Ｄのように「マトリックス回路」に限定されていない。
（オ）補正後発明の構成Ｅについて
　引用発明は、構成Ｅのように、「前記スイッチは、共通の前記ミックス回路を共用するように構成」することに限定されていない。
（カ）補正後発明の構成Ｆについて
　引用発明は、上記（エ）で検討したように、「マトリックス回路」であることに限定されておらず、構成Ｆのように、「前記マトリックス回路は、運用に応じて各前記スイッチをＯＮ／ＯＦＦすることにより、前記運用に必要な前記ミックス回路の構成を設定可能に構成」を有していない。
（キ）補正後発明の構成Ｇと引用発明の構成ｇとの対比
　構成ｇの「信号処理系統設定装置」は、「デジタルオーディオ信号をミキシングできる」ものであるから、音声を調整する装置であり、構成Ｇの「音声調整卓」に相当する。
　イ　一致点・相違点 
　以上をまとめると、補正後発明と引用発明は、以下の点で一致ないし相違する。 
（一致点） 
　Ａ　音源からの音声信号が入力される複数の入力部と、
　Ｂ　入力された複数の音声信号をミキシングして１つの音声信号を出力する複数のミックス回路と、
　Ｃ　音声信号をバス出力する複数の出力部と、
　Ｄ’複数のスイッチが設けられ、前記入力部及び前記ミックス回路からの音声信号の入力を切換可能で、前記ミックス回路及び前記出力部への音声信号の出力を切換可能に構成された入出力切換を行う構成と、
　を備える、
　Ｇ　音声調整卓。
（相違点） 
（相違点１） 
　入出力切換を行う構成について、補正後発明は、「マトリックス回路」であるのに対し、引用発明は、「マトリックス回路」に限定されておらず、そのことに起因して、補正後発明は、「前記マトリックス回路は、運用に応じて各前記スイッチをＯＮ／ＯＦＦすることにより、前記運用に必要な前記ミックス回路の構成を設定可能に構成」するものであるのに対し、引用発明は、そのような構成を有していない点。
（相違点２）
　スイッチについて、補正後発明は、「共通の前記ミックス回路を共用するように構成」するのに対し、引用発明は、そのように限定されていない点。
（５）判断 
　ア　相違点１について
　上記（３）で検討したように、多入力信号のいずれかを多出力信号の１もしくは複数に切換接続するような場合、マトリクス状のスイッチを用いることは、周知慣用の技術である。
　そして、引用発明は、構成ｈ及び構成ｈ２より「入出力信号切換器２は、」「設定する信号処理系統によっては使用しない系統があっても問題はない」構成である。
　当該構成は、「信号処理系統」という記載から、信号処理部Ａ〜Ｄを選択することに関しての構成であるが、複数のミキシング回路においても、運用に必要なミキシング回路の構成のみを使用するように構成すること、すなわち、前記運用に必要な前記ミックス回路の構成を設定可能に構成することは通常に考えることであり、その場合には、必要に応じてスイッチをＯＮ／ＯＦＦするものである。
　そうすると、引用発明の「入出力信号切換器２」において、信号を切り替えるために、周知慣用の技術であるマトリクス状のスイッチを採用し、補正後発明のような「マトリックス回路」とし、「前記マトリックス回路は、運用に応じて各前記スイッチをＯＮ／ＯＦＦすることにより、前記運用に必要な前記ミックス回路の構成を設定可能に構成」することは、当業者が容易に想到し得ることである。
　よって、相違点１に係る構成は、格別のものではない。
　イ　相違点２について
　引用発明は、構成ｈ及び構成ｈ１より「入出力信号切換器２は、」「入力の信号を複数の信号処理部に入力させたい場合には、Ｏ３とＯ４ともにＩ１のデータ設定を行うように、出力側の設定データは、重複した入力箇所を選択するようにしても問題はな」い構成である。
　当該構成は、入力端子Ｉ１に入力される信号を出力端子Ｏ３と出力端子Ｏ４から出力する構成であるが、スイッチの構成として、任意の入力端子に入力される信号を、任意の複数の出力端子から出力（例えば、図１７において、入力端子Ｉ３に入力される信号を出力端子Ｏ１と出力端子Ｏ２から出力）できることは、明らかである。
　そして、複数のミキシング回路を設けた構成において、同じミキシングがされた出力を複数の出力端子５で利用しようとすることは、通常に考えることであるから、引用発明において、構成ｈ及び構成ｈ１に基づいて、構成ｄの経路を、「ミキシング回路１０からのデジタルオーディオ信号を入力する入力端子」に入力される信号を、「出力端子５へのデジタルオーディオ信号を出力する出力端子」の複数から出力する経路として、１つ（共通）のミキシング回路を複数の出力端子５で共用し、補正後発明のように「前記スイッチは、共通の前記ミックス回路を共用するように構成」することは、当業者が容易に想到し得るものである。
　よって、相違点２に係る構成は、格別のものではない。
　ウ　相違点についてのまとめ 
　以上のように、各相違点については、格別のものではなく、また、補正後発明が奏する効果は、その容易想到である構成から当業者が容易に予測し得る範囲内のものであり、同範囲を超える顕著なものでもない。 
  
（６）審判請求人の主張についての検討
　ア　審判請求人の主張
　審判請求人は、審判請求書において、以下の主張をしている。
「（本願発明の効果） 
　発明特定事項である構成要素（ｆ）を備えた本願発明によれば、出願当初明細書の段落００３７に記載したように、「マトリックス回路４０は、運用に必要なミックス回路１〜５にのみ入力音声信号を送出する構成であるため、不要なミックス回路６〜１２を休止させることができる。これにより、従来の音声調整卓で行われていた不要な音声信号処理を行うことがなくなり、無駄な電力消費を抑えることができる。」という効果（以下、「電力消費の抑制」と呼ぶ）を得ています。 
　ここで言う従来の音声調整卓で行われていた不要な音声信号処理とは、無音（ミュート音声）をミキシングする処理のことです。無音（ミュート音声）のミキシング処理は、実際の運用においては全く必要がありません。つまり、従来の音声調整卓では、実際の運用においては必要のなかったミックス回路でも絶えずミキシング処理が行われてしまい、無駄な電力消費が発生することになっていました（出願当初明細書の段落０００９の記載を参照）。そこで、本願発明のマトリックス回路では、運用に必要なミックス回路だけが動作するように設定することにより、運用には必要のないミックス回路は休ませて、無駄な電力消費を抑えるようにしています。
　また、本願発明では、マトリックス回路が運用に必要なミックス回路の構成を設定可能であるため、運用に際して不要である音声信号処理についてはこれを行わずに済みます。その結果、「必要最小限のミックス回路数に抑え、装置規模を縮小することも可能なものである（出願当初明細書の段落００５７に記載）」といった効果（以下、「装置規模の縮小化」と呼ぶ）も、得ることができます。 
　このように、本願発明では、ミュート音声のミキシング処理を回避することにより、「電力消費の抑制」という効果だけではなく、ミックス回路数を低減したことで、「装置規模の縮小化」という効果も得ています。」（３頁２２行〜４頁１７行）
　イ　「電力消費の抑制」という効果について
　補正後発明のミックス回路は、「前記運用に必要な前記ミックス回路の構成を設定可能に構成すること」と特定されているのみであり、「不要なミックス回路６〜１２を休止させること」という構成は特定されておらず、休止できる構成に限定されるものでないから、「電力消費の抑制」という効果についての主張は、補正後発明に基づく主張ではない。
　ウ　「装置規模の縮小化」という効果について
　上記主張によれば、マトリックス回路が運用に必要なミックス回路の構成を設定可能であるため、運用に際して不要である音声信号処理についてはこれを行わないことにより、「装置規模の縮小化」という効果を得るとのことである。
　しかし、上記（５）アで検討したように、引用発明の「入出力信号切換器２」において、「前記運用に必要な前記ミックス回路の構成を設定可能に構成」することは、当業者が容易に想到し得るものであり、その容易想到である構成から当業者が容易に予測し得る範囲内のものである。
　したがって、審判請求人の主張を採用することはできない。
（７）小括 
　よって、補正後発明は、引用発明及び周知慣用の技術に基づいて、当業者が容易に発明をすることができたものであり、特許法第２９条第２項の規定により、特許出願の際独立して特許を受けることができないものである。 
  
　４　本件補正についてのむすび 
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。 
　よって、上記補正の却下の決定の結論のとおり決定する。 
第３　本願発明について 
　１　本願発明 
　平成３０年１１月２８日付けの手続補正は、上記のとおり却下されたので、本願の請求項に係る発明は、平成３０年６月１日にされた手続補正により補正された特許請求の範囲の請求項１〜４に記載された事項により特定されるものであるところ、その請求項１に係る発明（以下、「本願発明」という。）は、その請求項１に記載された次のとおりのものと認める。  
「音源からの音声信号が入力される複数の入力部と、
　入力された複数の音声信号をミキシングして１つの音声信号を出力する複数のミックス回路と、
　音声信号をバス出力する複数の出力部と、
　複数のスイッチが設けられ、前記入力部及び前記ミックス回路からの音声信号の入力を切換可能で、前記ミックス回路及び前記出力部への音声信号の出力を切換可能に構成されたマトリックス回路と、
　を備え、
　前記スイッチは、共通の前記ミックス回路を共用するように構成したことを特徴とする音声調整卓。」 
　２　引用文献及び周知慣用の技術について 
　原審の拒絶査定に、引用文献１として引用された、特開２００１−１７５６２３号公報の記載事項及び引用発明は、前記第２の３（２）に記載したとおりである。
　また、周知慣用の技術については、前記第２の３（３）に記載したとおりである。
　３　対比・判断 
　本願発明の発明特定事項を全て含み、さらに他の事項を付加したものに相当する補正後発明が、前記第２の３に記載したとおり、引用発明及び周知慣用の技術に基づいて、当業者が容易に発明をすることができたものであるから、本願発明も、引用発明及び周知慣用の技術に基づいて、当業者が容易に発明をすることができたものである。 
  
第４　むすび 
　以上のとおり、本願発明は、特許法第２９条第２項の規定により特許を受けることができないから、他の請求項に係る発明について検討するまでもなく、本願は拒絶されるべきものである。 
  
　よって、結論のとおり審決する。